(57)【要約】【課題】周囲の外観性を向上できるとともに、厚さの異なる床材であっても同一の構成部材により見切り作業を行うことができ、床施工時に使用する部品の点数を確実に減少できる見切り材および見切り材の取付構造を提供することを目的とする。【解決手段】床材１，２とサッシ枠４との間に設けられるとともに、該床材１，２のサッシ枠４側端部を見切るための見切り材１０であって、長尺な見切り材本体２０と、この見切り材本体２０を受ける長尺な受け材３０とからなり、見切り材本体２０は、受け材３０に対して、長さ方向中央部を中心にして１８０度水平回転させた状態でも取付可能に構成されている。これにより、厚さ寸法の異なる床材であっても同一の構成部材により見切り作業を行うことができ、見切り材周囲の外観性を向上させることができる。【選択図】図１
2010285749.tif 000002
【特許請求の範囲】
【請求項１】
床材とサッシ枠との間に設けられるとともに、該床材のサッシ枠側端部を見切るための見切り材であって、
前記床材とサッシ枠との境目の長さ方向に沿って長尺な見切り材本体と、この見切り材本体を受けるとともに前記床材とサッシ枠との間の隙間に取付固定される長尺な受け材とからなり、
前記見切り材本体は、水平に配置される上段板部と、
この上段板部の一側縁部に一体形成されるとともに水平に配置される下段板部と、
この下段板部から所定の隙間をあけるとともに見切り材本体の中央付近に位置するようにして前記上段板部の下面から下方に垂設され、さらに下面が、前記下段板部の下面と等しい高さに位置する垂下片と、
この垂下片の下面の前記下段板部側端部から下方に向かって突設され、さらに見切り材本体の略中央に位置する係合突部とを備えており、
前記受け材は、前記床材とサッシ枠との間の隙間に固定される底板部と、
この底板部の長さ方向に沿う両側縁部に設けられるとともに、前記見切り材本体に当接する第１支持壁部および第２支持壁部と、
前記底板部に、この底板部の長さ方向に沿って、かつ前記第１支持壁部および第２支持壁部と平行に設けられるとともに、前記第１支持壁部よりも第２支持壁部に近接して配置され、さらに前記第１支持壁部および第２支持壁部よりも、所定の寸法分、高さが低くなるように設定された平行壁部とを備えており、
前記底板部と第２支持壁部と平行壁部とによって、前記見切り材本体の係合突部が挿入されるとともに係合される係合凹部が構成されており、
前記見切り材本体は、前記受け材に対して、前記係合突部を前記係合凹部に挿入した時に、前記上段板部の前記下段板部側端部とは反対側の端部が前記第１支持壁部の上面に当接し、前記垂下片の下面が前記平行壁部の上面に当接し、前記下段板部と垂下片との間の隙間の天面が前記第２支持壁部の上面に当接するようにして取付可能に構成されており、
長さ方向中央部を中心にして１８０度水平回転させた見切り材本体は、前記受け材に対して、前記係合突部を前記係合凹部に挿入した時に、前記下段板部の前記上段板部側端部とは反対側の端部が前記第１支持壁部の上面に当接し、前記垂下片の下面が前記第２支持壁部の上面に当接するようにして取付可能に構成されていることを特徴とする見切り材。
【請求項２】
請求項１に記載の見切り材において、
前記係合突部および係合凹部には、これら係合突部および係合凹部の高さ方向に沿って複数の係合段部が連続して設けられていることを特徴とする見切り材。
【請求項３】
請求項１または２に記載の見切り材において、
前記下段板部は、この下段板部の前記上段板部側端部付近に、この下段板部の長さ方向に沿って長尺な切欠部を形成することによって、前記床材の厚さに応じて切断可能に構成されていることを特徴とする見切り材。
【請求項４】
請求項１〜３のいずれか一項に記載の見切り材が床材とサッシ枠との間に取り付けられてなる見切り材の取付構造であって、
前記床材とサッシ枠との間の隙間に前記受け材が固定されており、
前記見切り材本体は、前記受け材に対して、前記係合突部を前記係合凹部に挿入するとともに、前記上段板部の前記下段板部側端部とは反対側の端部を前記第１支持壁部の上面に当接させ、前記垂下片の下面を前記平行壁部の上面に当接させ、前記下段板部と垂下片との間の隙間の天面を前記第２支持壁部の上面に当接させるようにして取り付けられており、
前記床材のサッシ枠側端部は前記下段板部によって覆われていることを特徴とする見切り材の取付構造。
【請求項５】
請求項１〜３のいずれか一項に記載の見切り材が床材とサッシ枠との間に取り付けられてなる見切り材の取付構造であって、
前記床材とサッシ枠との間の隙間に前記受け材が固定されており、
前記見切り材本体は、前記受け材に対して、前記係合突部を前記係合凹部に挿入するとともに、前記下段板部の前記上段板部側端部とは反対側の端部を前記第１支持壁部の上面に当接させ、前記垂下片の下面を前記第２支持壁部の上面に当接させるようにして取り付けられており、
前記床材のサッシ枠側端部は前記上段板部によって覆われていることを特徴とする見切り材の取付構造。
【発明の詳細な説明】
【技術分野】
【０００１】
本発明は、見切り材および見切り材の取付構造に関する。
【背景技術】
【０００２】
建物の開口部に設けられたサッシ枠と床用仕上げ材との間に、この床用仕上げ材のサッシ枠側端部を見切るための見切り材を取り付ける技術が知られている（例えば、特許文献１参照）。このような見切り材によれば、上段平面部によって床用仕上げ材（以下、床材）のサッシ枠側端部を確実に覆うことができる。
【先行技術文献】
【特許文献】
【０００３】
【特許文献１】特開２００７−２７７９８０号公報
【発明の概要】
【発明が解決しようとする課題】
【０００４】
ところで、床材には、例えば１２ｍｍの厚さのものや、１５ｍｍの厚さのものなどがあり、いずれの厚さ寸法の床材を使用するかによって、異なった見切り材を用いる必要が生じる。ところが、このように床材の厚さに応じて異なった見切り材を用意するとなると、そのためのコスト等が増すことになる。このため、従来より、異なった厚さの床材であっても同一の構成部材を用いて見切り作業を行いたいという要望があった。
また、見切り材を固定するためにビス等を固定手段として用いると、ビスの頭が見えてしまうため、見切り材周囲の外観性を向上させたいという要望もあった。
【０００５】
本発明の課題は、周囲の外観性を向上できるとともに、厚さの異なる床材であっても同一の構成部材により見切り作業を行うことができ、床施工時に使用する部品の点数を確実に減少できる見切り材および見切り材の取付構造を提供することを目的とする。
【課題を解決するための手段】
【０００６】
請求項１に記載の発明は、例えば図１〜図３に示すように、床材１，２とサッシ枠４との間に設けられるとともに、該床材１，２のサッシ枠４側端部を見切るための見切り材１０であって、
前記床材１，２とサッシ枠４との境目の長さ方向に沿って長尺な見切り材本体２０と、この見切り材本体２０を受けるとともに前記１，２とサッシ枠４との間の隙間５に取付固定される長尺な受け材３０とからなり、
前記見切り材本体２０は、水平に配置される上段板部２１と、
この上段板部２１の一側縁部に一体形成されるとともに水平に配置される下段板部２２と、
この下段板部２２から所定の隙間２３をあけるとともに見切り材本体２０の中央付近に位置するようにして前記上段板部２１の下面２１ａから下方に垂設され、さらに下面２４ａが、前記下段板部２２の下面２２ａと等しい高さに位置する垂下片２４と、
この垂下片２４の下面２４ａの前記下段板部２２側端部から下方に向かって突設され、さらに見切り材本体２０の略中央に位置する係合突部２５とを備えており、
前記受け材３０は、前記床材１，２とサッシ枠４との間の隙間５に固定される底板部３１と、
この底板部３１の長さ方向に沿う両側縁部に設けられるとともに、前記見切り材本体２０に当接する第１支持壁部３２および第２支持壁部３３と、
前記底板部３１に、この底板部３１の長さ方向に沿って、かつ前記第１支持壁部３２および第２支持壁部３３と平行に設けられるとともに、前記第１支持壁部３２よりも第２支持壁部３３に近接して配置され、さらに前記第１支持壁部３２および第２支持壁部３３よりも、所定の寸法分、高さが低くなるように設定された平行壁部３４とを備えており、
前記底板部３１と第２支持壁部３３と平行壁部３４とによって、前記見切り材本体２０の係合突部２５が挿入されるとともに係合される係合凹部３５が構成されており、
前記見切り材本体２０は、前記受け材３０に対して、前記係合突部２５を前記係合凹部３５に挿入した時に、前記上段板部２１の前記下段板部２２側端部とは反対側の端部が前記第１支持壁部３２の上面３２ａに当接し、前記垂下片２４の下面２４ａが前記平行壁部３４の上面３４ａに当接し、前記下段板部２２と垂下片２４との間の隙間２３の天面２３ａが前記第２支持壁部３３の上面３３ａに当接するようにして取付可能に構成されており、
長さ方向中央部を中心にして１８０度水平回転させた見切り材本体２０は、前記受け材３０に対して、前記係合突部２５を前記係合凹部３５に挿入した時に、前記下段板部２２の前記上段板部２１側端部とは反対側の端部が前記第１支持壁部３２の上面３２ａに当接し、前記垂下片２４の下面２４ａが前記第２支持壁部３３の上面３３ａに当接するようにして取付可能に構成されていることを特徴とする。
【０００７】
請求項１に記載の発明によれば、前記見切り材本体２０を、前記受け材３０に対して、前記係合突部２５を前記係合凹部３５に挿入するとともに、前記上段板部２１の前記下段板部２２側端部とは反対側の端部を前記第１支持壁部３２の上面３２ａに当接させ、前記垂下片２４の下面２４ａを前記平行壁部３４の上面３４ａに当接させ、前記下段板部２２と垂下片２４との間の隙間２３の天面２３ａを前記第２支持壁部３３の上面３３ａに当接させるようにして取り付けることができるので、前記下段板部２２によって前記床材１のサッシ枠４側端部を確実に覆うことができる。
また、長さ方向中央部を中心にして１８０度水平回転させた見切り材本体２０を、前記受け材３０に対して、前記係合突部２５を前記係合凹部３５に挿入するとともに、前記下段板部２２の前記上段板部２１側端部とは反対側の端部を前記第１支持壁部３２の上面３２ａに当接させ、前記垂下片２４の下面２４ａを前記第２支持壁部３３の上面３３ａに当接させるようにして取り付けることができるので、前記上段板部２１によって前記床材２のサッシ枠４側端部を確実に覆うことができる。
これによって、厚さ寸法の異なる床材１，２であっても同一の構成部材により見切り作業を行うことができるので、床施工時に使用する部品の点数を確実に減少させることが可能となる。
また、前記係合突部２５を前記係合凹部３５に挿入して係合させることによって、前記見切り材本体２０を前記受け材３０に取り付けることができるので、従来とは異なり、前記見切り材本体２０の表面側にビス等の固定手段が見えてしまうことを確実に防ぐことができ、見切り材１０周囲の外観性を向上させることができる。
【０００８】
請求項２に記載の発明は、例えば図１〜図４に示すように、請求項１に記載の見切り材１０において、
前記係合突部２５および係合凹部３５には、これら係合突部２５および係合凹部３５の高さ方向に沿って複数の係合段部２５ａ…，３５ａ…が連続して設けられていることを特徴とする。
【０００９】
請求項２に記載の発明によれば、前記係合突部２５および係合凹部３５には、これら係合突部２５および係合凹部３５の高さ方向に沿って複数の係合段部２５ａ…，３５ａ…が連続して設けられているので、これら複数の係合段部２５ａ…，３５ａ…同士を噛み合わせるようにして、前記係合突部２５を前記係合凹部３５に確実に係合させることができる。
これによって、これら係合突部２５と係合凹部３５との係合状態を強固なものとすることができるので、前記見切り材本体２０と前記受け材３０との取付状態も強固なものとすることができる。
【００１０】
請求項３に記載の発明は、例えば図１〜図４に示すように、請求項１または２に記載の見切り材１０において、
前記下段板部２２は、この下段板部２２の前記上段板部２１側端部付近に、この下段板部２２の長さ方向に沿って長尺な切欠部２２ｃを形成することによって、前記床材３の厚さに応じて切断可能に構成されていることを特徴とする。
【００１１】
請求項３に記載の発明によれば、前記下段板部２２は、この下段板部２２の前記上段板部２１側端部付近に、この下段板部２２の長さ方向に沿って長尺な切欠部２２ｃを形成することによって、前記床材３の厚さに応じて切断可能に構成されているので、前記切欠部２２ｃ部分を切断することで、例えば前記床材３の上面が、前記下段板部２２の下面２２ａに到達しない程度に薄いものであった場合であっても確実に対応することができる。
すなわち、前記床材３の上面が、前記下段板部２２の下面２２ａに到達しない程度に薄いものであった場合は、この床材３の上面と前記下段板部２２の下面２２ａとの間には奥行きのある隙間が形成されることになる。この時、前記下段板部２２を切断することによって、該隙間を奥行きのないものとすることができるので、前記下段板部２２を切断しないまま用いる場合に比して、見切り材１０周囲の外観性を、より向上させることができるだけでなく、例えば建物内の埃等が隙間に溜まりにくくなるという効果が得られる。
【００１２】
請求項４に記載の発明は、例えば図１および図２，図４に示すように、請求項１〜３のいずれか一項に記載の見切り材１０が床材１とサッシ枠４との間に取り付けられてなる見切り材１０の取付構造であって、
前記床材１とサッシ枠４との間の隙間５に前記受け材３０が固定されており、
前記見切り材本体２０は、前記受け材３０に対して、前記係合突部２５を前記係合凹部３５に挿入するとともに、前記上段板部２１の前記下段板部２２側端部とは反対側の端部を前記第１支持壁部３２の上面３２ａに当接させ、前記垂下片２４の下面２４ａを前記平行壁部３４の上面３４ａに当接させ、前記下段板部２２と垂下片２４との間の隙間２３の天面２３ａを前記第２支持壁部３３の上面３３ａに当接させるようにして取り付けられており、
前記床材１のサッシ枠４側端部は前記下段板部２２によって覆われていることを特徴とする。
【００１３】
請求項４に記載の発明によれば、前記見切り材本体２０は、前記受け材３０に対して、前記係合突部２５を前記係合凹部３５に挿入するとともに、前記上段板部２１の前記下段板部２２側端部とは反対側の端部を前記第１支持壁部３２の上面３２ａに当接させ、前記垂下片２４の下面２４ａを前記平行壁部３４の上面３４ａに当接させ、前記下段板部２２と垂下片２４との間の隙間２３の天面２３ａを前記第２支持壁部３３の上面３３ａに当接させるようにして取り付けられているので、前記見切り材本体２０を、前記受け材３０に対して確実に取り付けることができる。
また、前記床材１のサッシ枠４側端部は前記下段板部２２によって覆われているので、見切り材１０周囲の外観性を、より向上させることができる。
さらに、例えば前記見切り材本体２０を、長さ方向中央部を中心にして１８０度水平回転させたとしても、前記見切り材本体２０を前記受け材３０に確実に取り付けることができるので、前記床材１とは厚さの異なる床材２であっても、該厚さの異なる床材２のサッシ４側端部を前記上段板部２１によって覆うことができる。これによって、厚さ寸法の異なる床材１，２であっても同一の構成部材により見切り作業を行うことができるので、床施工時に使用する部品の点数を、より確実に減少させることが可能となる。
【００１４】
請求項５に記載の発明は、例えば図３に示すように、請求項１〜３のいずれか一項に記載の見切り材１０が床材２とサッシ枠４との間に取り付けられてなる見切り材１０の取付構造であって、
前記床材２とサッシ枠４との間の隙間５に前記受け材３０が固定されており、
前記見切り材本体２０は、前記受け材３０に対して、前記係合突部２５を前記係合凹部３５に挿入するとともに、前記下段板部２２の前記上段板部２１側端部とは反対側の端部を前記第１支持壁部３２の上面３２ａに当接させ、前記垂下片２４の下面２４ａを前記第２支持壁部３３の上面３３ａに当接させるようにして取り付けられており、
前記床材２のサッシ枠４側端部は前記上段板部２１によって覆われていることを特徴とする。
【００１５】
請求項５に記載の発明によれば、前記見切り材本体２０は、前記受け材３０に対して、前記係合突部２５を前記係合凹部３５に挿入するとともに、前記下段板部２２の前記上段板部２１側端部とは反対側の端部を前記第１支持壁部３２の上面３２ａに当接させ、前記垂下片２４の下面２４ａを前記第２支持壁部３３の上面３３ａに当接させるようにして取り付けられているので、前記見切り材本体２０を、前記受け材３０に対して確実に取り付けることができる。
また、前記床材１のサッシ枠４側端部は前記上段板部２１によって覆われているので、見切り材１０周囲の外観性を、より向上させることができる。
さらに、例えば前記見切り材本体２０を、長さ方向中央部を中心にして１８０度水平回転させたとしても、前記見切り材本体２０を前記受け材３０に確実に取り付けることができるので、前記床材２とは厚さの異なる床材１であっても、該厚さの異なる床材１のサッシ４側端部を前記下段板部２２によって覆うことができる。これによって、厚さ寸法の異なる床材１，２であっても同一の構成部材により見切り作業を行うことができるので、床施工時に使用する部品の点数を、より確実に減少させることが可能となる。
【発明の効果】
【００１６】
本発明によれば、見切り材本体を、受け材に対して、係合突部を係合凹部に挿入するとともに、上段板部の下段板部側端部とは反対側の端部を第１支持壁部の上面に当接させ、垂下片の下面を平行壁部の上面に当接させ、下段板部と垂下片との間の隙間の天面を第２支持壁部の上面に当接させるようにして取り付けることができるので、下段板部によって床材のサッシ枠側端部を確実に覆うことができる。
また、長さ方向中央部を中心にして１８０度水平回転させた見切り材本体を、受け材に対して、係合突部を係合凹部に挿入するとともに、下段板部の上段板部側端部とは反対側の端部を第１支持壁部の上面に当接させ、垂下片の下面を第２支持壁部の上面に当接させるようにして取り付けることができるので、上段板部によって床材のサッシ枠側端部を確実に覆うことができる。
これによって、厚さ寸法の異なる床材であっても同一の構成部材により見切り作業を行うことができるので、床施工時に使用する部品の点数を確実に減少させることが可能となる。
また、係合突部を係合凹部に挿入して係合させることによって、見切り材本体を受け材に取り付けることができるので、従来とは異なり、見切り材本体の表面側にビス等の固定手段が見えてしまうことを確実に防ぐことができ、見切り材周囲の外観性を向上させることができる。
【図面の簡単な説明】
【００１７】
【図１】本発明の見切り材の取付構造の一例を示す側断面図である。
【図２】図１の見切り材の取付構造の一部を示す拡大側断面図である。
【図３】長さ方向中央部を中心にして１８０度水平回転させた状態の見切り材本体を備える見切り材の取付構造の一部を示す拡大側断面図である。
【図４】下段板部を切断した状態の見切り材の取付構造の一部を示す拡大側断面図である。
【図５】本発明に係る実施例の見切り材の取付構造の一例を示す側断面図である。
【発明を実施するための形態】
【００１８】
以下、図面を参照して本発明の実施の形態について説明する。
図１は本発明に係る見切り材の取付構造の一例を示す側断面図である。
図１において符号１は、床材を示す。この床材１は、建物の床を構成する床パネル６の上面に敷設されるもの（例えばフローリング材）であり、例えば１２ｍｍの厚さに設定されている。また、前記床パネル６の端部の上方は開口部となっており、この開口部にはサッシ枠４が嵌め込まれている。また、この床パネル６の端部は、半土台７とともに基礎８上に載せられている。
また、前記半土台７は、前記床パネル６よりも高さが低くなるように設定されており、この床パネル６よりも低くなった分の寸法を利用して、該半土台７の上面にサッシ枠４の下枠４ａが取付固定されている。すなわち、前記半土台７上に取り付けられたサッシ枠４の下枠４ａは、その高さが、前記床パネル６の上面の高さ位置と略等しくなるように設定されており、前記開口部に設けられる窓は、いわゆる掃き出し窓とされている。
【００１９】
前記サッシ枠４は、前記下枠４ａと、この下枠４ａに取り付けられるとともに該サッシ枠４の建物側端部に位置し、さらに断熱性を有する断熱用見切り材４ｂを備えている。
この断熱用見切り材４ｂは例えば樹脂製であり、前記サッシ枠４と、建物内の床パネル６や床材１との間に位置することによって、サッシ枠４を伝わって建物内部に侵入しようとする外部の熱や冷気を断熱できるようになっている。
【００２０】
そして、前記樹脂用見切り材４ｂと前記床材１との間に、前記床材１のサッシ枠４側端部を見切るための見切り材１０が設けられている。
この見切り材１０は、前記床材１とサッシ枠４との境目の長さ方向に沿って長尺な見切り材本体２０と、この見切り材本体２０を受けるとともに前記床材１とサッシ枠４との間の隙間５に取付固定される長尺な受け材３０とからなる。
なお、この隙間５は、前記樹脂用見切り材４ｂと前記床材１との間に位置している。
【００２１】
前記見切り材本体２０は、図１および図２に示すように、水平に配置される上段板部２１と、この上段板部２１の一側縁部に一体形成されるとともに水平に配置される下段板部２２と、この下段板部２２から所定の隙間２３をあけるとともに見切り材本体２０の中央付近に位置するようにして前記上段板部２１の下面２１ａから下方に垂設され、さらに下面２４ａが、前記下段板部２２の下面２２ａと等しい高さに位置する垂下片２４と、この垂下片２４の下面２４ａの前記下段板部２２側端部から下方に向かって突設され、さらに見切り材本体２０の略中央に位置する係合突部２５とを備えている。
【００２２】
前記上段板部２１は、前記下段板部２２よりも上段位置しており、前記下段板部２１は、前記上段板部２２より下段に位置している。そして、これら上段板部２１および下段板部２２は、それぞれの端部同士が一体形成されている。
また、前記上段板部２１の下段板部２２側端部と、前記下段板部２２の上段板部２１側端部との間には傾斜部２２ｂが設けられており、前記上段板部２１の上面と前記下段板部２２の上面との間の段差を傾斜面にすることができ、これら上段板部２１の上面と前記下段板部２２の上面とに連続性を持たせることができる。
【００２３】
前記下段板部２２の下面２２ａは、この下段板部２２の前記上段板部２１側端部とは反対側の端部の下面２２ａの部分から下方に突出するとともに、前記床材１の上面に当接する当接部２２ｂを有している。
なお、この当接部２２ｂは、後述する第１支持壁部３２の上面３２ａにも当接するように構成されている。
【００２４】
前記下段板部２２と垂下片２４との間の隙間２３の幅の広さは、後述する第２支持壁部３３の上端部よりも大きくなるように設定されており、前記隙間２３の天面２３ａを前記第２支持壁部３３の上面３３ａに当接させる際に、第２支持壁部２２の上端部が前記隙間２３に無理なく入れることができるようになっている。
また、この隙間２３の天面２３ａは、上述のように該隙間２３が前記上段板部２１の下面２１ａに前記垂下片２４を垂設することによって形成されるものであるため、前記上面板部２１の下面２１ａと等しい高さに位置していることになる。
【００２５】
なお、前記下段板部２２は、この下段板部２２の前記上段板部２１側端部付近に、この下段板部２２の長さ方向に沿って長尺な切欠部２２ｃを形成することによって、前記床材３の厚さに応じて切断可能に構成されている。
【００２６】
前記垂下片２４は、前記床材１とサッシ枠４との境目の長さ方向に沿って長尺に、かつ断面矩形状に形成されており、前記上段板部２１の下面２１ａと一体形成されている。
この垂下片２４の下面２４ａは、上述のように前記下段板部２２側端部には前記係合突部２５が設けられており、この係合突部２５が設けられていない部分は、前記下段板部２２の下面２２ａと等しい高さに位置する平らな面となっている。
【００２７】
前記係合突部２５は、前記床材１とサッシ枠４との境目の長さ方向に沿って長尺に形成されており、さらに、前記垂下片２４の下面２４ａと一体形成されている。
また、この係合突部２５には、この係合突部２５の高さ方向に沿って複数の係合段部２５ａ…が連続して設けられている。これら複数の係合段部２５ａ…は、係合突部２５の屋内側面および屋外側面にそれぞれ対称的に設けられている。
これら複数の係合段部２５ａ…は、係合突部２５の突出方向先端に向けて先細り状になるように、断面略台形状または三角形状に形成されている。すなわち、断面略台形状または三角形状の係合段部２５ａの鋭角部分が、係合突部２５の突出方向先端側に位置するようにして設けられている。
【００２８】
一方、前記受け材３０は、図１および図２に示すように、前記床材１，２とサッシ枠４との間の隙間５に固定される底板部３１と、この底板部３１の長さ方向に沿う両側縁部に設けられるとともに、前記見切り材本体２０に当接する第１支持壁部３２および第２支持壁部３３と、前記底板部３１に、この底板部３１の長さ方向に沿って、かつ前記第１支持壁部３２および第２支持壁部３３と平行に設けられるとともに、前記第１支持壁部３２よりも第２支持壁部３３に近接して配置され、さらに前記第１支持壁部３２および第２支持壁部３３よりも、所定の寸法分、高さが低くなるように設定された平行壁部３４とを備えている。
また、前記底板部３１と第２支持壁部３３と平行壁部３４とによって、前記見切り材本体２０の係合突部２５が挿入されるとともに係合される係合凹部３５が構成されている。
【００２９】
前記底板部３１は、前記床材１，２とサッシ枠４との間の隙間５の底面に、ビス３１ａ等の固定手段によって固定されている。
また、前記底板部３１の下面には、前記サッシ枠４の下枠４ａを固定するためのネジの頭を収容するための空洞部３１ｂが長さ方向に沿って形成されている。
【００３０】
前記第１支持壁部３２は、前記底板部３１の屋外側縁部に沿って設けられており、前記断熱用見切り材４ｂの高さよりも若干低くなるように形成されている。また、この第１支持壁部３２の上端部の屋内側面には、屋内側に向かって突出する突部３２ｂが形成されている。
【００３１】
前記第２支持壁部３３は、前記底板部３１の屋内側縁部に沿って設けられており、前記第１支持壁部３２と等しい高さとなるように形成されている。
また、この第２支持壁部３３の屋外側面には、該第２支持壁部３３の高さ方向に沿って、前記見切り材本体２０の係合突部２５の屋内側面に設けられる複数の係合段部２５ａ…に係合する複数の係合段部３５ａ…が連続して設けられている。
【００３２】
前記平行壁部３４の屋内側面には、該平行壁部３４の高さ方向に沿って、前記見切り材本体２０の係合突部２５の屋外側面に設けられる複数の係合段部２５ａ…に係合する複数の係合段部３５ａ…が連続して設けられている。
ここで、上述のように該平行壁部３４は、前記第１支持壁部３２および第２支持壁部３３よりも、所定の寸法分、高さが低くなるように設定されているため、前記第２支持壁部３３の屋外側面に設けられた複数の係合段部３５ａ…よりも段部３５の数が、寸法差分、少なくなるように設定されている。
なお、これら平行壁部３４と第２支持壁部３３との高さの差は、前記垂下片２４の上下方向の寸法と略等しくなるように設定されている。
【００３３】
なお、本実施の形態においては、前記第２支持壁部３３の係合段部３５ａが、該第２支持壁部３３の上端部から下方に向かって４つ設けられているのに対し、前記平行壁部３４の係合段部３５ａは、該平行壁部３４の上端部から下方に向かって３つ設けられている。
また、これら平行壁部３４の複数の係合段部３５ａ…のうち、最も上部に位置する係合段部３５ａは、前記第２支持壁部３３の上端部から２つ目の係合段部３５ａと等しい高さに位置している。したがって、平行壁部３４の各係合段部３５ａ…の位置と、前記第２支持壁部３３の複数の係合段部３５ａ…のうちの下側３つの位置とが、互いに向かい合うようにして設けられることになる。
【００３４】
前記係合凹部３５は、前記底板部３１と第２支持壁部３３と平行壁部３４とによって、断面視略凹型に形成されており、前記第２支持壁部３３と平行壁部３４との間の空隙部に、前記係合突部２５が挿入可能となっている。
この係合凹部３５の複数の係合段部３５ａ…は、前記第２支持壁部３３および平行壁部３４の上端部に向けて先細り状になるように、断面略台形状または三角形状に形成されている。すなわち、断面略台形状または三角形状の係合段部３５ａの鋭角部分が、前記第２支持壁部３３および平行壁部３４の上端部側に位置するようにして設けられている。
これによって、これら係合突部２５の複数の係合段部２５ａ…と、係合凹部３５の複数の係合段部３５ａ…とは互いに係合できるようになっている。
【００３５】
上述のような構成の見切り材本体２０は、前記受け材３０に対して、前記係合突部２５を前記係合凹部３５に挿入した時に、前記上段板部２１の前記下段板部２２側端部とは反対側の端部が前記第１支持壁部３２の上面３２ａに当接し、前記垂下片２４の下面２４ａが前記平行壁部３４の上面３４ａに当接し、前記下段板部２２と垂下片２４との間の隙間２３の天面２３ａが前記第２支持壁部３３の上面３３ａに当接するようにして取付可能に構成されている。
【００３６】
ここで、前記受け材３０の第１支持壁部３２の屋外側面から第２支持壁部３３の屋内側面までの長さは、前記見切り材本体２０の上段板部２１の屋外側端面から、前記隙間２３の屋内側の側面までの長さよりも短くなるように設定されており、かつ、上述のように前記第２支持壁部３３の上端部が前記隙間２３に収まるように設定されている。
また、前記第１支持壁部３２の屋外側面と、前記上段板部２１の屋外側端面とは面一となっている。
【００３７】
一方、前記見切り材本体２０は、図３に示すように、該見切り材の長さ方向中央部を中心にして１８０度水平回転させた状態で、前記受け材３０に取り付けることが可能となっている。
すなわち、この長さ方向中央部を中心にして１８０度水平回転させた見切り材本体２０は、前記受け材３０に対して、前記係合突部２５を前記係合凹部３５に挿入した時に、前記下段板部２２の前記上段板部２１側端部とは反対側の端部が前記第１支持壁部３２の上面３２ａに当接し、前記垂下片２４の下面２４ａが前記第２支持壁部３３の上面３３ａに当接するようにして取付可能に構成されている。
【００３８】
ここで、前記受け材３０の第１支持壁部３２の屋外側面から第２支持壁部３３の屋内側面までの長さは、前記見切り材本体２０の下段板部２２の屋外側端面から、前記垂下片２４の屋内側の側面までの長さよりも長くなるように設定されている。
また、前記第１支持壁部３２の屋外側面と、前記下段板部２２の屋外側端面とは面一となっている。
【００３９】
そして、このように見切り材本体２０を、該見切り材の長さ方向中央部を中心にして１８０度水平回転させると、前記上段板部２１が建物内部に向かって突出することになるので、前記下段板部２２によって床材端部を見切る場合に比して、高い位置で床材端部を見切ることができるようになる。したがって、このように見切り材本体２０を、該見切り材の長さ方向中央部を中心にして１８０度水平回転させて用いることによって、前記床材１とは異なる厚さの床材２のサッシ枠４側端部を見切ることができる。
なお、この床材２は、前記床材１よりも厚くなるように設定されており、本実施の形態のいては、例えば１５ｍｍとされている。
【００４０】
なお、本実施の形態の床材についてはフローリング材で１２ｍｍのものや、１５ｍｍのものを用いるとしたが、これに限られるものではなく、例えばカーペットや、表面に塩化ビニルを用いるシート状床材であるクッションフロア等を床材として用いるようにしてもよい。
このように厚さの薄いものを床材として用いる場合は、図４に示すように、前記下段板部２２の下面２２ａに到達しない程度に厚さの薄い床材３を、前記受け材３０屋内側の側面に突き付けるようにして設けるとともに、前記見切り材本体２０を、この見切り材本体２０の下段板部２２を前記切欠部２２ｃから垂直方向に切断して用いるようにする。
これによって、前記下段板部２２の下面２２ａに到達しない程度に薄い床材であっても確実に対応することができる。
【００４１】
以上のような見切り材１０の構成をまとめると以下の通りである。
見切り材１０は、見切り材本体２０と受け材３０とからなり、長尺に形成されている。
また、前記見切り材本体２０は、水平に配置される上段板部２１と、
この上段板部２１の一側縁部に一体形成されるとともに水平に配置される下段板部２２と、
この下段板部２２から前記隙間２３をあけるとともに見切り材本体２０の中央付近に位置するようにして前記上段板部２１の下面２１ａから下方に垂設され、さらに下面２４ａが、前記下段板部２２の下面２２ａと等しい高さに位置する垂下片２４と、
この垂下片２４ａの下面２４ａの前記下段板部２２側端部から下方に向かって突設され、さらに見切り材本体２０の略中央に位置する係合突部２５とを備えている。
また、前記受け材３０は、底板部３１と、
この底板部３１の長さ方向に沿う両側縁部に設けられる第１支持壁部３２および第２支持壁部３３と、
前記底板部３１に、この底板部３１の長さ方向に沿って、かつ前記第１および第２支持壁部３２，３３と平行に設けられるとともに、前記第２支持壁部３２に近接して配置され、さらに前記第１および第２支持壁部３２，３３よりも、所定の寸法分、高さが低くなるように設定された平行壁部３４とを備えている。
さらに、前記底板部３１と第２支持壁部３３と平行壁部３４とによって、前記係合突部２５が挿入されるとともに係合される係合凹部３５が構成されている。
そして、前記底板部３１の厚さを含む前記第１支持壁部３２の上下方向の長さ（すなわち、高さ）と、前記底板部３１の厚さを含む前記第２支持壁部３３の上下方向の長さ（すなわち、高さ）とは等しくなるように設定されている。
また、前記底板部３１の厚さを含む前記平行壁部３４の上下方向の長さ（すなわち、高さ）は、前記垂下片２４の厚さ（すなわち、前記上段板部２１の下面２１ａから垂下片２４の下面２４ａまでの上下方向の長さ）と略等しい寸法分、前記第１および第２支持壁部３２，３３の上下方向の長さよりも短くなるように設定されている。
さらに、この垂下片２４の厚さは、前記上段板部２１の下面２１ａから前記下段板部２２の下面２２ａまでの垂直方向の寸法と略等しくなるように設定されている。なお、この下段板部２２の下面２２ａとは、本実施の形態においては、該下面２２ａを構成する当接部２２ｂを指しているものとする。
また、前記隙間２３の幅は、前記第２支持壁部３３の上端部の厚み（すなわち、該第２支持壁部３３の長さ方向に沿う両側面間の寸法）よりも若干広くなるように設定されている。
また、前記見切り材本体２０の、前記上段板部２１の前記下段板部２２側端部とは反対側の端面から前記係合突部２５の前記下段板部２２側面までの水平方向の寸法と、前記受け材３０の、前記第１支持壁部３２の外側面から前記第２支持壁部３３の前記平行壁部３４側面までの水平方向の寸法とが略等しくなるように設定されている。
また、前記見切り材本体２０の、前記下段板部２２の前記上段板部２１側端部とは反対側の端面から前記係合突部２５の前記下段板部２２側面とは反対側の側面までの水平方向の寸法と、前記受け材３０の、前記第１支持壁部３２の外側面から前記第２支持壁部３３の前記平行壁部３４側面までの水平方向の寸法とが略等しくなるように設定されている。
また、前記係合突部２５の厚みと、前記第２支持壁部３３の平行壁部３４側面から、前記平行壁部３４の第２支持壁部３３側面までの水平方向の寸法とが略等しくなるように設定されている。上述のように前記係合突部２５および係合凹部３５に複数の係合段部２５ａ…，３５ａ…が設けられる場合であっても、その係合段部２５ａ…，３５ａ…の凹凸部分が互いにかみ合うようになっている。
【００４２】
次に、前記見切り材１０の取付構造について説明する。
なお、まずは前記床材１を用いる場合について説明する。
図１および図２に示すように、前記床材１とサッシ枠４との間の隙間５に前記受け材３０が固定されている。すなわち、前記受け材３０は、前記サッシ枠４の下枠４ａに取り付けられた断熱用見切り材４ｂと隣接して前記床パネル６の側端部に設けられている。
なお、前記サッシ枠４の下枠４は、前記床パネル６の側端部の上面に延出するような形態となっており、前記受け材３０は、前記断熱用見切り材４ｂとともに、この下枠４ａの延出する部分の上面に載せられている。
そして、前記受け材３０は、前記ビス３１ａによって、前記床パネル６の側端部に強固に固定されている。
また、前記床材１は、該床材１の側端面と前記受け材３０の屋内側の側面とが当接するようにして、前記床パネル６の上面に敷設固定されている。
【００４３】
そして、以上のように固定された受け材３０に対して、前記見切り材本体２０は、前記係合突部２５を前記係合凹部３５に挿入するとともに、前記上段板部２１の前記下段板部２２側端部とは反対側の端部を前記第１支持壁部３２の上面３２ａに当接させ、前記垂下片２４の下面２４ａを前記平行壁部３４の上面３４ａに当接させ、前記下段板部２２と垂下片２４との間の隙間２３の天面２３ａを前記第２支持壁部３３の上面３３ａに当接させるようにして取り付けられている。
そして、前記床材１のサッシ枠４側端部は前記下段板部２２によって覆われている。
【００４４】
続いて、前記床材２を用いる場合について説明する。
まず、図３に示すように、前記受け材３０は、前記床材１の場合と同様に前記床材１とサッシ枠４との間の隙間５に固定されている。
また、前記床材２は、該床材２の側端面と前記受け材３０の屋内側の側面とが所定間隔離間するようにして、前記床パネル６の上面に敷設固定されている。
【００４５】
ここで、前記見切り材本体２０は、前記床材１の場合とは異なり、長さ方向中央部を中心にして１８０度水平回転させた状態とされている。
そして、以上のように固定された受け材３０に対して、長さ方向中央部を中心にして１８０度水平回転させられた状態の見切り材本体２０は、前記係合突部２５を前記係合凹部３５に挿入するとともに、前記下段板部２２の前記上段板部２１側端部とは反対側の端部を前記第１支持壁部３２の上面３２ａに当接させ、前記垂下片２４の下面２４ａを前記第２支持壁部３３の上面３３ａに当接させるようにして取り付けられている。
そして、前記床材２のサッシ枠４側端部は前記上段板部２１によって覆われている。
以上のようにして、厚さ寸法の異なる床材１，２を、同一の見切り材１０によって見切り作業を行うことができる。
【００４６】
（実施例）
次に、以上のような見切り材１０を応用した見切り材１００について説明する。
図５に示すように、見切り材１００は、厚さの異なる床材Ａ，ＢまたはＢ，Ｃの隣り合う側端部を見切るためのものであり、前記床材Ａ，Ｂ（Ａ，Ｃ）の境目の長さ方向に沿って長尺な見切り材本体１１０と、この見切り材本体１１０を受けるとともに該床材Ａ，Ｂ（Ａ，Ｃ）間の隙間に取付固定される長尺な受け材１２０とを備えている。
【００４７】
前記見切り材本体１１０は、下面１１１ａが、前記床材Ａ（Ｃ）の側端部の上面に当接するとともに、該床材Ａ（Ｃ）の上面と当接する端部とは反対側の端部が、前記床材Ｂ（Ａ）の側端部の上方に配置される上段板部１１１と、
この上段板部１１１の前記床材Ａ（Ｃ）の上面と当接する端部とは反対側の端部から下方に突出するとともに、下面１１２ａが、前記床材Ｂ（Ａ）の側端部の上面に当接する下側突出部１１２と、
この下側突出部１１２から所定の隙間１１３をあけるとともに見切り材本体１１０の中央付近に位置するようにして前記上段板部１１１の下面１１１ａから下方に垂設され、さらに下面１１４ａが、前記下側突出部１１２の下面１１２ａと等しい高さに位置する垂下片１１４と、
この垂下片１１４の下面１１４ａの前記下側突出部１１２側端部から下方に向かって突設され、さらに見切り材本体１１０の略中央に位置する係合突部１１５とを備えている。
【００４８】
前記受け材１２０は、前記床材Ａ，Ｂ（Ａ，Ｃ）間の隙間に固定される底板部１２１と、
この底板部１２１の長さ方向に沿う一側縁部に設けられるとともに、前記見切り材本体１１０に当接する支持壁部１２２と、
前記底板部１２１の長さ方向に沿う他側縁部に設けられるとともに、前記支持壁部１２２よりも、所定の寸法分、高さが低くなるように設定された平行壁部１２３と、
これら底板部１２１と支持壁部１２２と平行壁部１２３とによって、前記見切り材本体１１０の係合突部１１５が挿入されるとともに係合される係合凹部１２４とを備えている。
【００４９】
また、前記係合突部１１５および係合凹部１２４には、これら係合突部１１５および係合凹部１２４の高さ方向に沿って複数の係合段部１１５ａ…，１２４ａ…が連続して設けられている。
【００５０】
そして、図５（ａ）に示すように、前記見切り材本体１１０は、前記受け材１２０に対して、前記係合突部１１５を前記係合凹部１２４に挿入した時に、前記上段板部１１１の前記下側突出部１１２側端部とは反対側の端部が前記床材Ａの上面に当接し、前記垂下片１１４の下面１１４ａが前記平行壁部１２３の上面１２３ａに当接し、前記下側突出部１１２と垂下片１１４との間の隙間１２３の天面１２３ａが前記支持壁部１２２の上面１２２ａに当接するようにして取付可能に構成されている。
【００５１】
また、このようにして前記見切り材本体１１０を前記受け材１２０に取り付けた際は、前記上段板部１１１の前記下側突出部１１２側端部とは反対側の端部によって前記床材Ａの側端部を見切ることができ、前記下側突出部１１２によって前記床材Ｂの側端部を見切ることができるようになっている。
【００５２】
一方、図５（ｂ）に示すように、長さ方向中央部を中心にして１８０度水平回転させた見切り材本体１１０は、前記受け材１２０に対して、前記係合突部１１５を前記係合凹部１２４に挿入した時に、前記下側突出部１１２の下面１１２ａが前記床材Ａの側端部の上面に当接し、前記垂下片１１４の下面１１４ａが前記支持壁部１２２の上面１２２ａに当接し、前記上段板部１１１の前記下側突出部１１２側端部とは反対側の端部が前記床材Ｃの側端部の上面に当接するようにして取付可能に構成されている。
【００５３】
また、このようにして前記見切り材本体１１０を前記受け材１２０に取り付けた際は、前記下側突出部１１２によって前記床材Ａの側端部を見切ることができ、前記上段板部１１１の前記下側突出部１１２側端部とは反対側の端部によって前記床材Ｃの側端部を見切ることができるようになっている。
【００５４】
これによって、厚さ寸法の異なるとともに互いに隣り合う床材Ａ，Ｂ（Ａ，Ｃ）であっても同一の構成部材により見切り作業を行うことができるので、床施工時に使用する部品の点数を確実に減少させることが可能となる。
【００５５】
なお、本実施例において、前記床材Ａの上下方向の長さは例えば「ｘ（ミリメートル）」とされており、前記床材Ｂの上下方向の長さは「ｘ−ａ（ミリメートル）」とされており、前記床材Ｃの上下方向の長さは「ｘ＋ａ（ミリメートル）」とされている。
また、前記上段板部１１１の下面１１１ａから、前記下側突出部１１２の下面１１２ａまでの長さと、前記垂下片１１４の下面１１４ａまでの長さとは、ともに「ａ（ミリメートル）」とされている。
【００５６】
本実施の形態によれば、前記見切り材本体２０を、前記受け材３０に対して、前記係合突部２５を前記係合凹部３５に挿入するとともに、前記上段板部２１の前記下段板部２２側端部とは反対側の端部を前記第１支持壁部３２の上面３２ａに当接させ、前記垂下片２４の下面２４ａを前記平行壁部３４の上面３４ａに当接させ、前記下段板部２２と垂下片２４との間の隙間２３の天面２３ａを前記第２支持壁部３３の上面３３ａに当接させるようにして取り付けることができるので、前記下段板部２２によって前記床材１のサッシ枠４側端部を確実に覆うことができる。
また、長さ方向中央部を中心にして１８０度水平回転させた見切り材本体２０を、前記受け材３０に対して、前記係合突部２５を前記係合凹部３５に挿入するとともに、前記下段板部２２の前記上段板部２１側端部とは反対側の端部を前記第１支持壁部３２の上面３２ａに当接させ、前記垂下片２４の下面２４ａを前記第２支持壁部３３の上面３３ａに当接させるようにして取り付けることができるので、前記上段板部２１によって前記床材２のサッシ枠４側端部を確実に覆うことができる。
これによって、厚さ寸法の異なる床材１，２であっても同一の構成部材により見切り作業を行うことができるので、床施工時に使用する部品の点数を確実に減少させることが可能となる。
また、前記係合突部２５を前記係合凹部３５に挿入して係合させることによって、前記見切り材本体２０を前記受け材３０に取り付けることができるので、従来とは異なり、前記見切り材本体２０の表面側にビス等の固定手段が見えてしまうことを確実に防ぐことができ、見切り材１０周囲の外観性を向上させることができる。
【００５７】
また、前記係合突部２５および係合凹部３５には、これら係合突部２５および係合凹部３５の高さ方向に沿って複数の係合段部２５ａ…，３５ａ…が連続して設けられているので、これら複数の係合段部２５ａ…，３５ａ…同士を噛み合わせるようにして、前記係合突部２５を前記係合凹部３５に確実に係合させることができる。
これによって、これら係合突部２５と係合凹部３５との係合状態を強固なものとすることができるので、前記見切り材本体２０と前記受け材３０との取付状態も強固なものとすることができる。
【００５８】
また、前記下段板部２２は、この下段板部２２の前記上段板部２１側端部付近に、この下段板部２２の長さ方向に沿って長尺な切欠部２２ｃを形成することによって、前記床材３の厚さに応じて切断可能に構成されているので、前記切欠部２２ｃ部分を切断することで、例えば前記床材３の上面が、前記下段板部２２の下面２２ａに到達しない程度に薄いものであった場合であっても確実に対応することができる。
すなわち、前記床材３の上面が、前記下段板部２２の下面２２ａに到達しない程度に薄いものであった場合は、この床材３の上面と前記下段板部２２の下面２２ａとの間には奥行きのある隙間が形成されることになる。この時、前記下段板部２２を切断することによって、該隙間を奥行きのないものとすることができるので、前記下段板部２２を切断しないまま用いる場合に比して、見切り材１０周囲の外観性を、より向上させることができるだけでなく、例えば建物内の埃等が隙間に溜まりにくくなるという効果が得られる。
【００５９】
また、前記見切り材本体２０は、前記受け材３０に対して、前記係合突部２５を前記係合凹部３５に挿入するとともに、前記上段板部２１の前記下段板部２２側端部とは反対側の端部を前記第１支持壁部３２の上面３２ａに当接させ、前記垂下片２４の下面２４ａを前記平行壁部３４の上面３４ａに当接させ、前記下段板部２２と垂下片２４との間の隙間２３の天面２３ａを前記第２支持壁部３３の上面３３ａに当接させるようにして取り付けられているので、前記見切り材本体２０を、前記受け材３０に対して確実に取り付けることができる。
また、前記床材１のサッシ枠４側端部は前記下段板部２２によって覆われているので、見切り材１０周囲の外観性を、より向上させることができる。
さらに、例えば前記見切り材本体２０を、長さ方向中央部を中心にして１８０度水平回転させたとしても、前記見切り材本体２０を前記受け材３０に確実に取り付けることができるので、前記床材１とは厚さの異なる床材２であっても、該厚さの異なる床材２のサッシ４側端部を前記上段板部２１によって覆うことができる。これによって、厚さ寸法の異なる床材１，２であっても同一の構成部材により見切り作業を行うことができるので、床施工時に使用する部品の点数を、より確実に減少させることが可能となる。
【００６０】
また、前記見切り材本体２０は、前記受け材３０に対して、前記係合突部２５を前記係合凹部３５に挿入するとともに、前記下段板部２２の前記上段板部２１側端部とは反対側の端部を前記第１支持壁部３２の上面３２ａに当接させ、前記垂下片２４の下面２４ａを前記第２支持壁部３３の上面３３ａに当接させるようにして取り付けられているので、前記見切り材本体２０を、前記受け材３０に対して確実に取り付けることができる。
また、前記床材１のサッシ枠４側端部は前記上段板部２１によって覆われているので、見切り材１０周囲の外観性を、より向上させることができる。
さらに、例えば前記見切り材本体２０を、長さ方向中央部を中心にして１８０度水平回転させたとしても、前記見切り材本体２０を前記受け材３０に確実に取り付けることができるので、前記床材２とは厚さの異なる床材１であっても、該厚さの異なる床材１のサッシ４側端部を前記下段板部２２によって覆うことができる。これによって、厚さ寸法の異なる床材１，２であっても同一の構成部材により見切り作業を行うことができるので、床施工時に使用する部品の点数を、より確実に減少させることが可能となる。
【符号の説明】
【００６１】
１  床材
２  床材
４  サッシ枠
１０  見切り材
２０  見切り材本体
２１  上段板部
２２  下段板部
２３  隙間
２４  垂下片
２５  係合突部
３０  受け材
３１  底板部
３２  第１支持壁部
３３  第２支持壁部
３４  平行壁部
３５  係合凹部
【図１】
2010285749.tif 000003
【図２】
2010285749.tif 000004
【図３】
2010285749.tif 000005
【図４】
2010285749.tif 000006
【図５】
2010285749.tif 000007